(57)【特許請求の範囲】
【請求項１】
本体筒胴部（２）の側面に垂直に流入口（５）を設け、その流入口（５）にスイベルジョイント（６Ａ）を介してエルボ（１０Ａ）を取付け、そのエルボ（１０Ａ）に給油ホース（８）を管体（１２）を介して接続した表示器付き給油ノズルにおいて、前記流入口（５）の所には安全管接手（２０Ａ）の一方の接手（２６Ａ）が設けられ、前記エルボ（１０Ａ）は前記管体（１２）の端部に垂直に設けられ、該エルボ（１０Ａ）の凸状の端部（２９ａ）は前記安全管接手（２０Ａ）の他方の接手として、前記一方の接手（２６Ａ）の座面（２９ｂ）に摺動自在に係合されており、前記凸状の端部（２９ａ）の溝に回動自在に嵌入した回動リング（４０）と、該回動リング（４０）を一方の接手（２６Ａ）に固定支持するシェアピン（２８Ａ）とによって、前記一方の接手（２６Ａ）と他方の接手である前記凸状の端部（２９ａ）が互いに連結されて、スイベルジョイント（６Ａ）および安全管接手（２０Ａ）が形成されており、前記エルボ（１０Ａ）内のボール弁（２４）はスプリング（２５）に閉弁方向に付勢されてボール保持体（２７）によって開弁状態で保持され、給油ホース接続側の前記管体（１２）に電子機器ケース（３０）が取付けられ、その電子機器ケース（３０）に給油量表示器（３１）が設けられ、その給油量表示器（３１）への信号線（３７）が前記給油ホース（８）に沿って配線されていることを特徴とする表示器付き給油ノズル。
【発明の詳細な説明】
【０００１】
【産業上の利用分野】
本発明は、ガソリンスタンド等の給油所に設置される給油装置の表示器付き給油ノズルに関する。
【０００２】
【従来の技術】
給油装置においては、例えば給油作業中に自動車が走り出して給油ホースに大きい外力が加わると危険なので、給油ホースの途中に安全管接手が設けられており、一定の張力で破断して安全弁が閉じるようになっている（例えば本出願人による特公昭５９−４８９１２号公報参照）。この安全管接手により、万一の場合、油がまき散らされることがない。
【０００３】
また、給油ノズルにはその近傍に給油量表示器や手元スイッチなどを設けたものが知られている。従来、安全管接手は、一般に給油量表示器を取付けた位置よりも上流側（給油機側）のホース途中に設けられていた。そのため、給油ホースに大きい外力が加わって安全管接手が分離した場合、給油量表示器への信号線は分離箇所で切断され危険である。
【０００４】
【発明が解決しようとする課題】
本発明は、安全管接手の分離時に信号線が切断されないようにする表示器付き給油ノズルを提供することを目的としている。
【０００５】
【課題を解決するための手段】
本発明によれば、本体筒胴部２の側面に垂直に流入口５を設け、その流入口５にスイベルジョイント６Ａを介してエルボ１０Ａを取付け、そのエルボ１０Ａに給油ホース８を管体１２を介して接続した表示器付き給油ノズルにおいて、前記流入口５の所には安全管接手２０Ａの一方の接手２６Ａが設けられ、前記エルボ１０Ａは前記管体１２の端部に垂直に設けられ、該エルボ１０Ａの凸状の端部２９ａは前記安全管接手２０Ａの他方の接手として、前記一方の接手２６Ａの座面２９ｂに摺動自在に係合されており、前記凸状の端部２９ａの溝に回動自在に嵌入した回動リング４０と、該回動リング４０を一方の接手２６Ａに固定支持するシェアピン２８Ａとによって、前記一方の接手２６Ａと他方の接手である前記凸状の端部２９ａが互いに連結されて、スイベルジョイント６Ａおよび安全管接手２０Ａが形成されており、前記エルボ１０Ａ内のボール弁２４はスプリング２５に閉弁方向に付勢されてボール保持体２７によって開弁状態で保持され、給油ホース接続側の前記管体１２に電子機器ケース３０が取付けられ、その電子機器ケース３０に給油量表示器３１が設けられ、その給油量表示器３１への信号線３７が前記給油ホース８に沿って配線されている。
【０００８】
上記電子機器ケースには、給油制御用の複数のスイッチが設けられ、該スイッチへの信号線はホース側接手を介して給油ホース内に配設されている。
【０００９】
その電子機器ケースは細長形状であり、電子機器ケースの一端側に給油量表示器が設けられ、他端側に給油制御用の複数のスイッチが設けられ、該スイッチを設けた側は幅が狭く形成されている。
【００１０】
【作用】
上記のように構成された表示器付き給油ノズルにおいては、安全管接手が分離しても給油量表示器は安全管接手の給油ホース接続側に設けられているので信号線が切断されることはない。
【００１１】
【実施例】
以下図面を参照して本発明の実施例を説明する。
【００１２】
図１及び図２において、全体を符号１で示す給油ノズルは、本体筒胴部２、筒先部３及び握り部４とからなっている。この本体筒胴部２の一側部（図示の例では左側面）には、本体筒胴部２に垂直に流入口５が形成され、この流入口５にはスイベルジョイント６を介して全体を符号１０で示すエルボの一端が取り付けられている。そのエルボ１０の他端には、後述の安全管接手２０の一方の接手２６が形成されており、安全管接手２０の給油ホース接続側の接手は弁筺２１とこの弁筺に接続された管体１２とで構成され、管体１２には給油ホース８のコネクタ７が螺合している。そして、安全管接手２０の給油ホース接続側の接手である管体１２には、給油量表示器３１を収めた全体を符号３０で示す電子機器ケースがねじ１３で固定されている。
【００１３】
接手２６の端部の凹状の座面２９ａと、弁筺２１の端部の凸状の端部２９ｂとは接合されシェアピン２８によって連結されている。弁筺２１内のボール弁２４はスプリング２５で閉弁方向に付勢され、ボール弁保持体２７により開弁状態で保持されている。したがって公知の態様でシェアピン２８が破断すると、座面２９ａ、２９ｂで分離しボール弁２４はスプリング２５で下流側に押圧され、弁座２３に着座し、油が流出しないようになっている。
【００１４】
図１に示されているように信号線３７はホース８の内部を通り、管体１２に設けた挿通部３８から外部に出て、電子機器ケース３０に接続されている。
【００１５】
そして電子機器ケース３０を含んでエルボ１０、安全管接手２０は開口部１４ａを有するカバー１４で覆われている。このカバー１４は薄肉の軟質合成樹脂材で成形されており、安全管接手２０の分離時には抜け外れるようになっている。
【００１６】
図２に示されているように、この表示器付き給油ノズルを懸垂式給油装置に使用した場合は、電子機器ケース３０の表面には、給油量表示器３１以外に給油ホース８側から順に、リセットスイッチ３２、プリセットスイッチ３３、ストップスイッチ３４、ホースアップスイッチ３５、ホースダウンスイッチ３６が設けられている。そして、これらスイッチ３２〜３６及び表示器３１に接続された信号線３７は、給油ホース接続側の接手である管体１２に設けられた挿通部３８を介し給油ホース８の中に配設され図示しない給油装置の制御装置に接続されている。これらの構成要素はいずれもそれ自体公知のもので、公知の態様で設けられている。
【００１７】
図から解るように電子機器ケース３０は細長い形状で給油制御用のスイッチ３２、３３、３４、３５、３６が設けられている側はスイッチを押しやすいように幅が狭く形成されている。
【００１８】
次に、作用について説明する。
【００１９】
給油中に給油ホース８に大きい外力が加わり、引張力が所定値以上になると、シェアピン２８、２８が切断され、安全管接手２０が分離し給油ノズル１が外れる。と同時に保持体２７が外れ、ボール弁２４が弁座２３に着座して流路を遮断する。
【００２０】
その状態で、電子機器ケース３０は、安全管接手２０の給油ホース側の接手である管体１２にねじ１３、１３で固設されているので、電子機器ケース３０は管体１２と共に給油ホース８側に残り信号線３７は断線することがない。
【００２１】
図３は本発明の別の実施例を示し、図示の例ではエルボ１０Ａの流出側の部分に安全管接手２０Ａを設けてある。すなわち本体筒胴部２の流入口５の所には安全管接手２０Ａの一方の接手２６Ａが形成されており、安全管接手２０Ａの給油ホース接続側の接手はエルボ１０Ａ全体を含んでいる。そして、接手２６Ａの端部の凹状の座面２９ａと、エルボ１０Ａの端部の凸状の端部２９ｂとは接合され、エルボ１０Ａの溝に嵌入した回動リング４０を介してシェアピン２８Ａによって連結されている。この様にこの実施例では安全管接手２０Ａにスイベルジョイント６Ａを組込み、電子機器ケース３０はエルボ１０Ａの給油ホース８の接続側に取り付けられている。そして、給油ホースに大きな外力が加わり安全管接手が分離すると、給油ノズル１だけが外れ、電子機器ケース３０は給油ホース側に残り、信号線が切断することがない。
【００２２】
【発明の効果】
本発明は、以上説明したように構成されているので、安全管接手の分離時に信号線が切断せず、したがって危険がなく不快感を与えるのを防止することができる。
【図面の簡単な説明】
【図１】本発明の一実施例を示す一部を断面で示す側面図。
【図２】図１の正面図。
【図３】本発明の別の実施例を示す図面。
【符号の説明】
１・・・給油ノズル
２・・・本体筒胴部
３・・・筒先部
４・・・握り部
５・・・流入口
６・・・スイベルジョイント
７・・・コネクタ
８・・・給油ホース
１０、１０Ａ・・・エルボ
１２・・・ホース側接手
１３・・・ねじ
１４・・・カバー
１４ａ・・・開口部
２０・・・安全管接手
２１・・・弁筺
２３・・・弁座
２４・・・ボール弁
２５・・・スプリング
２６・・・接手
２７・・・保持体
２８、２８Ａ・・・シェアピン
２９ａ・・・凹状の座面
２９ｂ・・・凸状の座面
３０・・・電子機器ケース
３１・・・給油量表示器
３２・・・リセットスイッチ
３３・・・プリセットスイッチ
３４・・・ストップスイッチ
３５・・・ホースアップスイッチ
３６・・・ホースダウンスイッチ
３７・・・信号線
【図１】
0003703160.tif 000002
【図２】
0003703160.tif 000003
【図３】
0003703160.tif 000004